(57)【特許請求の範囲】
【請求項１】
耕耘爪（１９）の回転上周面に耕耘カバー（１）を設け、該耕耘カバー（１）後部にリヤカバー（２）を上下回動自在に備えると共に、該リヤカバー（１）の後端に同カバー（２）とほぼ同幅の均平板（２５）及び適宜間隔で配設するレーキ（２６，２６…）を有する均平具（３）を着脱自在に取付けるロータリ耕耘装置の均平具取付装置において、
前記リヤカバー（１）の後端部左右に吊下ピン（５）と外れ止ピン（７）を前後に備える一方、
前記均平具（３）の左右にブラケット部材（４，４）を設け、該ブラケット部材（４）に、前記吊下ピン（５）に引っ掛ける吊下フック（６）と、該吊下ピン（５）に吊下フック（６）を引っ掛けた際に同均平具（３）の自重で前記外れ止ピン（７）を係合位置にガイドするガイドフック（３４）と、該ガイドフック（３４）にガイドされた外れ防止ピン（７）を係合・離脱させる外れ防止フック（８）及び同フック（８）を操作する操作レバー（９）を備え、更に同ブラケット部材（４）に前記均平板（２５）を回動支持するピン（２９）と、前記均平板（２５）を耕耘土壌面対し適宜圧で押圧するガイドロッド（３１）の回動ボス部（３２）を備えたことを特徴とするロータリ耕耘装置の均平具取付装置。
【発明の詳細な説明】
【０００１】
【発明の属する技術分野】
この発明は、ロータリ耕耘装置のリヤカバーに均平具を取付ける均平具取付装置に関する。
【０００２】
【発明が解決しようとする課題】
耕耘装置のリヤカバーに取付ける均平具で耕耘土壌面を均平する形態では、耕耘土壌条件等によって均平具を着脱することが多く、この幅広い均平具の着脱操作、及び構成を簡単化するものである。
【０００３】
【課題を解決するための手段】
この発明は、耕耘爪（１９）の回転上周面に耕耘カバー（１）を設け、該耕耘カバー（１）後部にリヤカバー（２）を上下回動自在に備えると共に、該リヤカバー（１）の後端に同カバー（２）とほぼ同幅の均平板（２５）及び適宜間隔で配設するレーキ（２６，２６…）を有する均平具（３）を着脱自在に取付けるロータリ耕耘装置の均平具取付装置において、
前記リヤカバー（１）の後端部左右に吊下ピン（５）と外れ止ピン（７）を前後に備える一方、
前記均平具（３）の左右にブラケット部材（４，４）を設け、該ブラケット部材（４）に、前記吊下ピン（５）に引っ掛ける吊下フック（６）と、該吊下ピン（５）に吊下フック（６）を引っ掛けた際に同均平具（３）の自重で前記外れ止ピン（７）を係合位置にガイドするガイドフック（３４）と、該ガイドフック（３４）にガイドされた外れ防止ピン（７）を係合・離脱させる外れ防止フック（８）及び同フック（８）を操作する操作レバー（９）を備え、更に同ブラケット部材（４）に前記均平板（２５）を回動支持するピン（２９）と、前記均平板（２５）を耕耘土壌面対し適宜圧で押圧するガイドロッド（３１）の回動ボス部（３２）を備えたことを特徴とするロータリ耕耘装置の均平具取付装置とする。
【０００４】
【発明の効果】
均平具３は、リヤカバー２の吊下ピン５に吊下フック６を引っ掛けて、レバー９を操作することにより、外れ止フック８をリヤカバー２後端部の外れ止ピン７に係合して取付けるものであるから、構成が簡単であり、左右幅広い均平具３であっても軽量化でき取扱を容易に行うことができ、取付はもより、取外操作をも簡単化できる。
また前記均平具（３）の左右にブラケット部材（４，４）を設け、該ブラケット部材（４）に、前記吊下ピン（５）に引っ掛ける吊下フック（６）と、該吊下ピン（５）に吊下フック（６）を引っ掛けた際に同均平具（３）の自重で前記外れ止ピン（７）を係合位置にガイドするガイドフック（３４）と、該ガイドフック（３４）にガイドされた外れ防止ピン（７）を係合・離脱させる外れ防止フック（８）及び同フック（８）を操作する操作レバー（９）を備え、更に同ブラケット部材（４）に前記均平板（２５）を回動支持するピン（２９）と、前記均平板（２５）を耕耘土壌面対し適宜圧で押圧するガイドロッド（３１）の回動ボス部（３２）を備えるものであるから、前記同様、ロータリ耕耘装置の均平具取付装置の構成を簡単、軽量化することができる。
【０００５】
【実施例】
四輪駆動走行形態のトラクタ車体の後側に三点リンク機構で連結されるロータリ耕耘装置１０は、車体側の動力取出軸から連動される入力軸１１を有する入力ギヤケース１２の上側に、マスト１３を設けてトップリンクと連結のトップリンクピン１４を有し、下部左右両側にはロワリンクと連結のロワリンクピン１５を有する。又、この入力ギヤケース１２の左右両側にはパイプフレーム１６を介在させて、一側にはチエンケース１７を有し他側には軸受アーム１８を有し、これら左右のチエンケース１７と軸受ケース１８との下端部間に亘って耕耘爪１９を配置した耕耘軸２０を軸受けさせて、該入力軸１１からの伝動で回転することができる。
【０００６】
耕耘カバー１は、この耕耘爪１９の回転上周面に亘って覆うように取付けられ、この後側にリヤカバー２がヒンジ２１の回りに上下回動自在に設けられる。これら耕耘カバー１とリヤカバー２との間には伸縮自在のダンパー２２が設けられ、リヤカバー２の後端の均平部２３を耕耘土壌面に押圧させることができる。２４は伸縮調節可能な伸縮杆で、前記マスト１３と作業機連結用のヒッチ４４との間に設けられ、このヒッチ４４を上下に回動調節できる。
【０００７】
均平具３は、リヤカバー２とほぼ同幅の均平板２５と、この後下部に適宜間隔で配設のレーキ２６とからなり、リヤカバー２の均平部２３の後端部に着脱される。リヤカバー２の後端部には、前記ダンパー２２を連結する左右両側部の各ブラケット２７に吊下ピン５を設け、この吊下ピン５の後方に外れ止ピン７を設ける。前記均平具３は、取付ブラケット４に設けられる吊下フック６を該吊下ピン５に引っ掛けると共に、外れ止フック８を該外れ止ピン７に係合させて取付けられる。この取付ブラケット４は、正断面凹字状の板金製で、上下一対を背合に接合した形態として、この下部側に吊下フック６やガイドフック３４を形成し、レバー９や外れ止フック８等を取付ける。
【０００８】
均平板２５の左右両側部には、ブラケット２８を有して、前記取付ブラケット４がピン２９回りに上下回動自在に設けられ、これら両ブラケット４，２８間にばね３０を介在させるガイドロッド３１が設けられて、このガイドロッド３１の前端部は取付ブラケット４の回動ボス３２に対して摺接自在である。３３はストッパーである。
【０００９】
前記取付ブラケット４には、前記吊下フック６が前端部に、外れ止フック８が後端部に各々設けられると共に、この外れ止フック８の係合される外れ止ピン７に係合案内するガイドフック３４が設けられ、又該外れ止フック８を回動操作するレバー９をレバーピン３５で取付ける。外れ止フック８はフックピン３６回りに回動自在で、ばね３７で常時外れ止ピン７へ係合する方向へ弾発されている。この外れ止フック８の基部には直角状の係合部３８が形成され、該レバー９の基部の係合部３９との相嵌合して、このレバー９を前後に回動Ａ操作することによって、ばね３７に抗して外れ止フック８をフックピン３６回りに回動Ｂさせて外れ止ピン７に対する係合、及び離脱を行わせることができる。
【００１０】
このため、作業者が均平板２５を持って、左右両側部の吊下フック６部を吊下ピン５部に合せて係合させると、後側のガイドフック３４部が均平具３の自重で外れ止ピン７に係合されるように下る。このとき外れ止フック８がばね３７の弾発で下方へ出ているときは、レバー９を操作してばね３７に抗して外れ止フック８を上方へ回動することにより、外れ止ピン７にガイドフック３４を係合させることができる。更にこのレバー９の操作で外れ止フック８を下動させると、外れ止フック８をも外れ止ピン７に係合させる。この状態での均平具３は、均平圧力の抵抗を受けてもリヤカバー２から外れることはなく、ガイドロッド３１のばね３０に抗する前後摺動によって耕耘土壌面を適宜圧で均平することができる。
【００１１】
又、前記均平具３をリヤカバー２から取外すときは、上記とは逆に操作して、レバー９で外れ止フック８の係合をピン７から外した状態で、吊下フック６を吊下ピン５から外せばよい。
図５において、上例と異なる点は、均平具３を着脱するとき、前記ガイドロッド３１の摺動を、ロックばね４０の回動ボス３２に対する係合によって係止しうるもので、着脱操作を行い易くするものである。ロックばね４０は、ループ状に形成されて、基部４１をガイドロッド３１に取付けて、上下に回動Ｃすることができる。このロックばね４０の先端部４２はガイドロッド３１の上面に接近しうるように円弧状に形成されて、回動ボス３２の後側面を係止してこのガイドロッド３１が前後摺動できないようにロックすることができる。又、このロックばね４０を上方へ回動して回動ボス３２との係合を外せばガイドロッド３１は摺動自在となり、均平具３がピン２９回りに上下回動しうる状態となる。
【００１２】
又、このロックばね４０の基部４１側は、ストッパー３３の左右両側面を挾持するように形成される。このストッパー３３の左右両側にロックばね４０の嵌合しうる浅いクリップ溝４３を形成し、前記ロック位置のロックばね４０を係合維持させることができる。ロックばね４０のロック位置を外すときは、このクリップ溝４３との係合力に抗してロックばね４０を上方へ引けばよい。
【図面の簡単な説明】
【図１】均平具部の側面図と、その一部の断面図。
【図２】その一部の平面図。
【図３】その一部の作用を示す側面図。
【図４】耕耘装置部の斜視図。
【図５】一部別実施例を示す側面図と、平面図。
【符号の説明】
１  耕耘カバー
２  リヤカバー
３  均平具
４  取付ブラケット（ブラケット部材）
５  吊下ピン
６  吊下フック
７  外れ止ピン
８  外れ止めフック
９  レバー
２５  均平板
２６  レーキ
２９  ピン
３１  ガイドロッド
３２  回動ボス
３４  ガイドフック
【図１】
0003769897.tif 000002
【図２】
0003769897.tif 000003
【図３】
0003769897.tif 000004
【図４】
0003769897.tif 000005
【図５】
0003769897.tif 000006